(57)【要約】【課題】マーキング作業を不要とし、製造を容易とし、コストダウンを図り得る圧電トランスを提供する。【解決手段】圧電トランス作製後、一次側の極性が分かるように別工程でマーキングしなくても良いよう、二次側電極印刷時に二次側電極の外端部側の形状により分極方向が分かるようにした。【選択図】図１
2007134484.tif 000002
【特許請求の範囲】
【請求項１】
圧電セラミクスの少なくとも一方の面の端部に設けられる二次側電極の形状を、極性を示す形状としたことを特徴とする圧電トランス。
【請求項２】
請求項１記載の圧電トランスにおいて、前記二次側電極の内側の形状を前記圧電セラミクスのほぼ巾方向に沿って延びる直線形状とし、前記二次側電極の外側形状を前記直線状の内側形状と異ならせ、極性が分かる形状としたことを特徴とする圧電トランス。
【発明の詳細な説明】
【技術分野】
【０００１】
この発明は、高電圧を発生する素子として、また、電圧を変換する素子として圧電セラミクスを用いた圧電トランスに関する。
【背景技術】
【０００２】
圧電セラミクスを用いた圧電トランスは、パソコン等に用いられている液晶を裏側から照らすバックライト用の光源、電源装置のＤＣ−ＤＣコンバータ、空気清浄機等の高電圧電源などに広く用いられている。この種の圧電トランスは、ＰＺＴなどの圧電セラミクスに一次、二次の電極を設け、それぞれ高電界をかけて結晶軸を揃え分極したものである。
【０００３】
従来、一般的な圧電トランスは、図６に示すように、平面形状が矩形をなす細長い形状の圧電セラミクス２’の一半部の上下面に、一次側電極３’を印刷によって設け、かつ他半部の上下面の外端部に矩形の二次側電極４’を同じく印刷によって設けている。
【０００４】
この圧電セラミクス２’は、一次側電極３’間の発電部が、例えば矢印ａで示す方向に分極され、他半部の出力部側が、例えば矢印ｂで示す方向に分極され、これらの分極によって圧電トランス１’が構成される。
【０００５】
圧電トランス１’は、その一次側の長さ方向で決まる固有共振周波数の電圧を印加すると逆圧電効果により素子が振動し、圧電効果により振動に見合っただけの正または負の電圧を二次側から取出すことができ、分極方向を変えることにより特性を変えることができる。
【発明の開示】
【発明が解決しようとする課題】
【０００６】
従来、発電部側の分極方向ａを表示するには、別途マーキング工程により、圧電トランス１’の所定の位置に適形状のマーキングを施していたため、製造が煩雑であり、コスト高にもつながる、という課題があった。
【０００７】
この発明は上記の点に鑑み提案されたもので、その目的とするところは、マーキング作業を不要とし、製造を容易とし、コストダウンを図り得る圧電トランスを提供することにある。
【課題を解決するための手段】
【０００８】
請求項１記載の発明は、圧電セラミクスの少なくとも一方の面の端部に設けられる二次側電極の形状を、極性を示す形状としたことを特徴とする。
請求項２記載の発明は、請求項１記載の圧電トランスにおいて、前記二次側電極の内側の形状を前記圧電セラミクスのほぼ巾方向に沿って延びる直線形状とし、前記二次側電極の外側形状を前記直線状の内側形状と異ならせ、極性が分かる形状としたことを特徴とする。
【発明の効果】
【０００９】
請求項１、２記載の発明によれば、二次側の電極形状によって圧電セラミクスの一次側の極性を知ることができるようにしたため、別工程を付加してマーキングを施す必要がなく、その分、製造が容易となる。
また、この二次側電極は、一回の印刷により容易に設けることができるため、コストダウンを図ることができる。
【発明を実施するための最良の形態】
【００１０】
以下、図面に沿って本発明の実施例を説明する。
【実施例１】
【００１１】
図１は本発明の第１実施例に係る圧電トランスの斜視図を示す。
【００１２】
この圧電トランス１は、圧電セラミクス２の発電部側の上下面にそれぞれ印刷によって一次側電極３が設けられている。
【００１３】
また、圧電セラミクス２の出力部側の上下面の端部に印刷によってこの例ではほぼ三角形の形状をなす二次側電極４が設けられている。
【００１４】
上下面の一次側電極３間の発電部は、例えば矢印ａ方向に分極され、出力部は矢印ｂ方向に分極される。
【００１５】
本発明では、例えばほぼ三角形状にした二次側電極４の頂点４ａ側を圧電セラミクス２の外側に向けて印刷することにより、一次側電極３間の分極方向ａが分かるようにしている。つまり、圧電セラミクス２の一次側の極性を判別可能にしている。したがって、従来のように別工程によってマーキングを施す必要がない。
【００１６】
二次側電極４の形状を、図１（ｂ）に示すように、長さの短い上底を内側、長さの長い下底を外側にした台形状にすると、出力部の分極状態が破線で示すように、表面側と内部とでバラツキが生じ、好ましくない。
【００１７】
これに対し、図１（ａ）に示すように、ほぼ三角形とし、かつ頂点４ａ側を外側に向け、圧電セラミクス２のほぼ巾方向に向って延びる直線状の底辺４ｂ側を内側にすれば、出力部側の分極は、図６に示した今までのものと変わることがなく、同じ特性とすることができる。
【００１８】
なお、二次側電極４は、図１（ａ）に示した形状に限られるものでなく、発電部の分極方向ａが分かる形状、つまり、圧電セラミクス２の一次側の極性を判別することができる形状であれば他の形状であっても良い。
【実施例２】
【００１９】
図２は本発明の第２実施例を示す。この例では二次側電極４Ａをほぼ台形状とし、圧電セラミクス２の巾方向に沿って直線状に延びる下底４ｂ’を内側にし、下底４ｂ’より長さの短い上底４ａ’を外側にしたものである。
【００２０】
このように、二次側電極４、４Ａの内端形状を圧電セラミクス２のほぼ巾方向にわたって直線状に延びる形状とし、外端部側の形状をこれとは異なる適形状にし、外端側の形状によって分極方向が分かるようにすれば良い。
【実施例３】
【００２１】
図３は本発明の第３実施例を示す。この例では上面側の二次側電極５を、円の一部または半円である円弧５Ａと弦５Ｂとで囲まれる円弧状としている。つまり、二次側電極５は、圧電セラミクス２の巾方向に沿って直線状に延びる弦５Ｂを内側にし、弦５Ｂに対して外側を円弧５Ａにしたものである。
【００２２】
実施例３により、上面側の二次側電極５の円弧形状により、圧電セラミクス２の一次側の極性を判別可能にしている。
【実施例４】
【００２３】
図４は本発明の第４実施例を示す。この例では上面側の二次側電極６を、楕円の一部または半分である楕円弧６Ａと弦６Ｂとで囲まれる楕円弧状としている。つまり、二次側電極６は、圧電セラミクス２の巾方向に沿って直線状に延びる弦６Ｂを内側にし、弦６Ｂに対して外側を楕円弧６Ａにしたものである。
【００２４】
実施例４により、上面側の二次側電極６の楕円弧形状により、圧電セラミクス２の一次側の極性を判別可能にしている。
【実施例５】
【００２５】
実施例５では、図５に示すように、実施例１の二次側電極４にリード線１１をはんだ１２で接続する場合、ほぼ三角形状をした二次側電極４の３つの辺で囲まれる部分にはんだ１２を付けるので、はんだ１１の量を二次側電極４の形状によって調節することができる。これにより、はんだ１１の量が多くなることで発生する不良振動を低減することができる。実施例２〜４についても同様に二次側電極の形状によって、はんだの量を調節することができる。
【００２６】
以上、実施例１〜５について述べたが、これらの実施例では、下面の二次側電極は四角形または上面の二次側電極と異なる形状である。
【００２７】
なお、本発明は上記実施例に限定されるものでなく、本発明の精神を逸脱しない範囲で種々の変更は可能である。すなわち、二次電極４，４Ａの内側、つまり一次電極３側の、例えば上面のものにスリット（図示せず）を形成し、スリットの有無により極性が分かるようにしても良い。この場合、スリット部分ははんだが乗らないため、はんだ量を調節することができる。したがって、二次電極４，４Ａ側の負荷を軽減でき、破損を防止できる。特に二次側電極４，４Ａが設けられている部分には、出力部の分極されている領域と、分極されない領域（外端部側）との境があり、この部分は構造的に弱く、その部分にスリット７を設けると負荷をかけることがなく好ましい。
【図面の簡単な説明】
【００２８】
【図１】（ａ）は本発明の第１実施例の斜視図、（ｂ）は本発明の優位性を示す説明図を示す。
【図２】本発明の第２実施例の斜視図を示す。
【図３】本発明の第３実施例の斜視図を示す。
【図４】本発明の第４実施例の斜視図を示す。
【図５】本発明の第５実施例の平面図を示す。
【図６】従来例を示す。
【符号の説明】
【００２９】
１  圧電トランス
２  圧電セラミクス
３  一次側電極
４、４Ａ  二次側電極
４ａ  頂点
４ｂ  底辺
４ａ’  上底
４ｂ’  下底
５  二次側電極
５Ａ  円弧
５Ｂ  弦
６  二次側電極
６Ａ  楕円弧
６Ｂ  弦
１１  リード線
１２  はんだ
ａ  発電部の分極方向
ｂ  出力部の分極方向
【図１】
2007134484.tif 000003
【図２】
2007134484.tif 000004
【図３】
2007134484.tif 000005
【図４】
2007134484.tif 000006
【図５】
2007134484.tif 000007
【図６】
2007134484.tif 000008